(57)【要約】【課題】１本つりとＵ字つりに兼用可能な安全帯について、作業性を向上させ、かつ低コスト化および軽量化を図る。【解決手段】安全帯の伸縮調節器３０を取り付けたランヤード２０を、平ロープから構成する。平ロープはしなやかで扱いやすいので作業性が向上する。調節器３０は、調節器本体３１と、その中軸３１ｃに回動可能に支持された揺動レバー３２から構成される。平ロープの両端間が調節器本体３１の各脇軸３１ｂと中軸３１ｃの間に蛇行して挿通し、安全帯側フック２２から折り返された端部は、中軸３１ｃに巻きつけ固定される。ロープに張力がかかると脇軸３１ｂや中軸３１ｃに押し付けられるため、調節器３０はロープ上をずれ動かない。ロープを撓ませて前記押し付けを解除すると、調節器３０がスライド可能となって、ランヤード２０の長さが調節できる。調節器３０の構造が簡単で小型であるため、安全帯の製造コストが低廉になり軽量化も図られる。【選択図】図２
2009112369.tif 000002
【特許請求の範囲】
【請求項１】
作業者が装着する安全帯本体１０と、一端がこの安全帯本体１０に連結され他端に構造物に掛けるためのフック２１が設けられ両端間に長さ調節のための伸縮調節器３０が取り付けられたランヤード２０と、からなる高所作業用の安全帯１において、
前記伸縮調節器３０は、対向する一対の側板３１ａと、この側板同士を連結する並列する一対の脇軸３１ｂと、この脇軸３１ｂ間の中軸３１ｃとからなり、
前記ランヤード２０を平ロープから構成して、この平ロープを伸縮調節器３０の一方脇軸３１ｂと中軸３１ｃの間に挿し込んで他方脇軸３１ｂと中軸３１ｃの間から前記挿し込み側と同側へと引き出し、前記安全帯本体１０側から折り返された端部を前記伸縮調節器３０に固定したことを特徴とする高所作業用の安全帯。
【請求項２】
前記伸縮調節器３０に、前記挿し込み側と対向するように前記中軸３１ｃに揺動可能に支持された揺動レバー３２をさらに設け、前記脇軸３１ｂと中軸３１ｃの間を挿通する平ロープの撓み量を揺動レバー３２で制限できるようにした請求項１に記載の高所作業用の安全帯。
【発明の詳細な説明】
【技術分野】
【０００１】
この発明は、高所作業の際に装着する安全帯に関する。
【背景技術】
【０００２】
建築現場等において高所作業を行う場合には、作業者は高所作業用の安全帯を装着することが義務付けられている。
このような高所作業用安全帯（以下、安全帯と略する。）は一般に、安全帯本体と、この安全帯本体に連結されたフック付きのランヤードとから構成される。
【０００３】
安全帯を使用する際には、作業者が安全帯本体を装着した上で、ランヤードの端部に設けられたフックを安全柵等の構造物に掛けて固定する（いわゆる１本つり）か、あるいはランヤードを鉄骨等の柱状構造物に掛け回して前記フックを安全帯本体に掛けて固定する（いわゆるＵ字つり、図３参照）。
このようにすると、万が一、作業者が足場を踏み外した場合にも、ランヤードにより体が支持されることで、墜落を防止できるようになる。
【０００４】
上記したような安全帯において、利便性を考慮して、１本つりとＵ字つりに兼用可能なものが開発されているが、そのランヤードには太径の丸ロープが用いられている。
これは、Ｕ字つりを行う場合には、掛け回した構造物との摩擦でランヤードが損耗しやすいためである。
【０００５】
また、丸ロープから構成されるランヤードの両端間には伸縮調節器が挿通され、この伸縮調節器が安全帯本体に連結されている。
ここで従来の伸縮調節器は、ロープを挿通させる半筒状の調節器本体と、この調節器本体の半筒内面側と対向するグリップと、この調節器本体とグリップとをリンク結合する並列する回動リンクとから構成されている（たとえば特許文献１の図１等参照。）。
グリップは、調節器本体から離反する向きにばねで付勢されており、回動リンクの調節器本体側の回動軸周りにはロープを押さえるための爪が設けられている。
【０００６】
グリップが調節器本体から離反した状態においては、回動リンクの爪が調節器本体内に保持されたロープに食い込んで押さえ付け、これにより伸縮調節器のロープ上の位置が固定される。
また、グリップを握り、ばねの付勢に抗して調節器本体に接近させると、回動リンクが回転してその爪が寝ることでロープの押さえ付けが解除され、伸縮調節器をスライドさせてロープ上の位置を変更させることが可能となる。
【０００７】
上記したように、伸縮調節器は安全帯本体に固定されているため、伸縮調節器を丸ロープ上でスライドさせることで、ランヤードの端部フックから安全帯本体までの長さを調節することができるようになっている。
【０００８】
このように兼用可能な安全帯に伸縮調節器が設けられているのは、ランヤードを掛け回した構造物と作業者との間隔を作業状態に応じて適宜調節する必要があり、また、Ｕ字つり用の安全帯においては、このような調節機能を備えることが法令上義務付けられてもいるからである。
【特許文献１】登録実用新案第３０００１７８号公報
【発明の開示】
【発明が解決しようとする課題】
【０００９】
しかし安全帯のランヤードに、太径の丸ロープを用いた場合、丸ロープが太く重く、またしなやかさに欠けて扱いにくいため、作業性が悪い問題がある。
さらに、上記のように伸縮調節器の構造が複雑であり、また大型であるため、その製造コストが高くなりがちであり、重量も大きい。
【００１０】
また上記のように、従来の兼用可能な安全帯は、主としてＵ字つりを行う要請からその構成が採用されているが、緊急時にのみＵ字つりを行い、普段は１本つりのみを行う場合には、緊急時のためだけに普段の作業性を犠牲にし、コストが嵩みまた重くなっていることになり、非能率的でもある。
【００１１】
そこで、この発明は１本つりとＵ字つりに兼用可能な安全帯について、作業性を向上させ、また低コスト化および軽量化を図ることを課題とする。
【課題を解決するための手段】
【００１２】
上記課題を解決するため、作業者が装着する安全帯本体と、一端がこの安全帯本体に連結され他端に構造物に掛けるためのフックが設けられ両端間に長さ調節のための伸縮調節器が取り付けられたランヤードと、からなる安全帯において、前記伸縮調節器は、対向する一対の側板と、この側板同士を連結する並列する一対の脇軸と、この脇軸間の中軸とからなり、前記ランヤードを平ロープから構成し、この平ロープを伸縮調節器の一方脇軸と中軸の間から挿し込んで他方脇軸と中軸の間から前記挿し込み側と同側へと引き出し、前記安全帯本体側から折り返された端部を前記伸縮調節器に固定した構成を採用したのである。
【００１３】
このように平ロープは伸縮調節器に各脇軸と中軸に挟み込まれた状態で蛇行して挿通されているため、平ロープに張力がかかると真っ直ぐになろうとして脇軸や中軸の外周面側に押し付けられる。
このように平ロープが脇軸や中軸に押し付けられた状態では、伸縮調節器が平ロープ上をずれ動かないため、伸縮調節器の平ロープ上での位置は変わらず、ランヤードの長さが固定されることになる。
【００１４】
そして、平ロープの伸縮調節器に挿通させた部分を撓ませて、上記したような脇軸や中軸への押し付けをなくし、平ロープを一方脇軸と中軸の間から前記挿し込み側と逆側に引き出し、つぎに他方脇軸と中軸の間から前記挿し込み側と同側に引き出すと、伸縮調節器がスライドして平ロープ上の位置が変わる。
このようにして伸縮調節器を平ロープ上でスライドさせると、平ロープの安全帯本体側から折り返された折り返し端部が伸縮調節器に固定されているため、平ロープの折り返されて重なり合った部分の長さを変化させることができる。
そして、平ロープの折り重なり部分が多いほど、ランヤードの長さは短くなり、折り重なり部分が少ないほど、ランヤードの長さは長くなるため、伸縮調節器をスライドさせることでランヤードの長さを適宜調節可能となる。
このように、平ロープを撓ませて伸縮調節器をスライドさせるだけの簡単な操作でランヤードの長さを調節させることができる。
【００１５】
以上のように、Ｕ字つりと１本つりに兼用可能な安全帯のランヤードを平ロープから構成したため、従来のランヤードが太径の丸ロープの場合と比べると、ランヤードのしなやかさが向上している。
そのため扱いやすく、作業性が向上しており、しかも耐摩耗性は一定以上に維持されている。
また、平ロープに伸縮調節器を取り付けてランヤードの長さを調節可能としているため、特許文献１の場合と変わりなく、Ｕ字つり作業を円滑に行うことができる。
【００１６】
この伸縮調節器は、対向する一対の側板と、この側板同士を連結する並列する中軸と２つの脇軸とからなるため、従来の伸縮調節器に比べて構造が簡略化されており、その製造コストを低廉に抑えられる。
また構造が簡単なため小型化が図られ、その結果、安全帯全体としての軽量化が図られる。
【００１７】
また伸縮調節器に、前記挿し込み側と対向するように中軸に揺動可能に支持された揺動レバーをさらに設け、前記脇軸と中軸の間を挿通する平ロープの撓み量を揺動レバーで制限できるようにするのが好ましい。
【００１８】
このように構成すると、平ロープの伸縮調節器への挿通部分が脇軸と揺動レバーで挟まれているため、平ロープに張力がかかっていない場合にも、揺動レバーによりこの挿通部分の撓み量が一定以下に制限される。
したがって、平ロープに張力がかかっていない作業中に、平ロープの前記挿通部分が大きく撓み、伸縮調節器が平ロープ上をずれ動いて、ランヤードの長さが変わってしまうといった事態が防止される。
また、この揺動レバーを脇軸と揺動レバーの間隔が広がる方向に回動させると、平ロープの撓み量を上記制限以上に大きくすることができるため、伸縮調節器をスライドさせて、ランヤードの長さを調節することが可能である。
【発明の効果】
【００１９】
１本つりとＵ字つりに兼用可能な安全帯について、そのランヤードを平ロープで構成し、伸縮調節器を簡単な構造としたので、作業性が向上し、製造コストを抑えられ、軽量化が図られる。
【発明を実施するための最良の形態】
【００２０】
図１に示す実施形態の安全帯１は、胴ベルト１１型の安全帯本体１０と、一端にこの安全帯本体１０に掛けるための安全帯側フック２２が設けられ、他端に構造体に掛けるための構造物側フック２１が設けられ、両端間に長さ調節のための伸縮調節器３０が取り付けられたランヤード２０とからなる。
【００２１】
図示のように、安全帯本体１０は、ナイロン等の合成樹脂繊維製のフレキシブルな胴ベルト１１と、その付属物品とからなる。
胴ベルト１１の一端にはベルトバックル１１ａが取り付けられており、胴ベルト１１を作業者の胴に巻きつけた状態で、このベルトバックル１１ａに他端から胴ベルト１１の一部を通して締め付け固定するようになっている。
【００２２】
胴ベルト１１の両端間には、ランヤードの安全帯側フック２２を固定する角環１１ｂが取り付けられている。
また、胴ベルト１１の両端間には、Ｕ字つりのときに鉄骨等に掛け回したランヤードの構造物側フック２１を固定するためのＤ環１１ｃが取り付けられている。
【００２３】
また、安全帯本体１０は、胴ベルト１１よりも幅の大きくクッション性の良好な補助ベルト１２を備えており、この補助ベルト１２は、その端部間に並列する３つのベルト押さえ１２ａを有し、このベルト押さえ１２ａに胴ベルト１１が挿通されている。
安全帯１の装着時には、この補助ベルト１２が作業者の腰回りに当たるようにして、胴ベルト１１が直接擦れることを防止する。
【００２４】
ランヤード２０は、ナイロン等の合成樹脂繊維を細幅ベルト形状に編成した平ロープから構成され、丸ロープなどと比べて軽量でありしなやかさにも優れ、またＵ字つりにも耐える耐摩耗性を有している。
【００２５】
構造物側フック２１は、先端が鉤状のフック本体２１ａと、フック本体２１ａの腹側に回動可能に取り付けられてフック本体２１ａの鉤を内側から開閉する開閉レバー２１ｂと、フック本体２１ａの背側に回動可能に取り付けられ、開閉レバー２１ｂが鉤を閉塞する状態を保持する安全レバー２１ｃとからなる。
またフック本体２１ａの後端には取り付け孔２１ｄが形成されており、この取り付け孔２１ｄには、平ロープの端部がリングを介して連結されている。
【００２６】
また、構造物側フック２１よりも小型の安全帯側フック２２は、ほぼ構造物側フック２１本体と同様の構造をしており、その後端に形成されたカバー付きの取り付け孔２２ａに、平ロープは通され、折り返されてその折り返し端部が後述するように伸縮調節器３０に固定されている。
【００２７】
さらに図２のように、伸縮調節器３０は、平ロープを挿通させる調節器本体３１と、調節器本体３１に挿通した平ロープの撓み量を制限する揺動レバー３２とからなる。
【００２８】
くわしくは、調節器本体３１は、対向する一対の側板３１ａと、この側板３１ａの長手方向の両端部を連結する２つの脇軸３１ｂと、側板３１ａの長手方向の中央部を貫通する中軸３１ｃとからなって、中軸３１ｃと各脇軸３１ｂとの間隔は等間隔となっている。
上述した安全帯側フック２２の取り付け孔２２ａを通って折り返された平ロープは、その折り返し端部が中軸３１ｃに巻きつけ固定されている。
また平ロープの両端間は、一方脇軸３１ｂと中軸３１ｃの間に伸縮調節器３０の一側から（図２の下方側から）挿し込まれて、他方脇軸３１ｂと中軸３１ｃの間から挿し込み側と同側（図２の下方側）に引き出され、中軸３１ｃと各脇軸３１ｂとの間を蛇行した状態で挿通されている。
ここで、両脇軸３１ｂの外周面にはローレット加工が施されているため、挿通された平ロープは脇軸３１ｂの外周面に接するとずれ動きにくくなっている。
【００２９】
また、図示のように、揺動レバー３２は、対向する一対の側板３２ａと、この側板の長手方向の両端部を連結する２つの脇軸３２ｂとからなる。
この側板３２ａの長手方向中央部は、調節器本体３１側に膨出し、この膨出部分を調節器本体３１の中軸３１ｃが貫通しているため、揺動レバー３２は、中軸３１ｃに対して揺動可能に支持されている。
【００３０】
図示のように、調節器本体３１の脇軸３１ｂと揺動レバー３２の脇軸３２ｂとは、間に平ロープを挟んで対向しており、脇軸３２ｂと平ロープとの間には一定の隙間が形成されている。
そのため、揺動レバー３２は、その各脇軸３２ｂが平ロープに当たるまでの範囲で揺動可能となっている。
【００３１】
実施形態の安全帯１の構成は以上のようであり、作業者が安全帯本体１０を装着し、ランヤード２０の構造物側フック２１を安全柵等の構造物に掛けて固定すると、１本つり状態として作業可能となる。
また、作業者が安全帯本体１０を装着し、図３のように、ランヤード２０を鉄骨等の柱状構造物に掛け回して構造物側フック２１を安全帯本体１０のＤ環１１ｃに掛けて固定すると、Ｕ字つり状態として作業可能となる。
このように、実施形態の安全帯１は双方の作業に兼用することが可能である。
【００３２】
ここで、平ロープの調節器本体３１への挿通部分は、各脇軸３１ｂと中軸３１ｃの間で蛇行した状態になっている。
そのため、平ロープに張力がかかるとその挿通部分は、真っ直ぐになろうとして脇軸３１ｂのローレット加工された外周面に押し付けられ、また折り返し端部が巻きつけ固定された中軸３１ｃに押し付けられるようになっている。
したがって、作業中に張力がかかった状態で、伸縮調節器３０は平ロープ上をずれ動かないようになっている。
【００３３】
また、上記したように調節器本体３１の脇軸３１ｂと中軸３１ｃの間を挿通する平ロープは、揺動レバー３２の脇軸３２ｂに一定の隙間をあけて挟まれている。
したがって、作業中に平ロープに張力がかかっていない状態でも、調節器本体３１への挿通部分の撓み量は揺動レバー３２によって一定以下に制限され、調節器３０は平ロープ上をずれ動きにくいようになっている。
このようにして、作業中に伸縮調節器３０がロープ上をずれ動くことはなく、構造物側フック２１から安全帯側フック２２までのランヤード２０の長さは一定に保持されることになる。
【００３４】
つぎに、ランヤード２０の長さを調節する必要が生じた場合には、伸縮調節器３０の揺動レバー３２を一方向に回動させて、一方脇軸３１ｂ、３２ｂ間の距離を大きくして平ロープが上記一定範囲を超えて撓ませられるようにし、平ロープを図２の上側（前記挿し込み側と逆側）に向けて引き出す。
同様に揺動レバー３２を逆方向に回動させて、他方脇軸３１ｂ、３２ｂ間の距離を大きくして平ロープを撓ませ、平ロープを図２の下側（前記挿し込み側と同側）に向けて引き出す。
このようにして、容易に伸縮調節器３０を平ロープ上でスライドさせることができる。
揺動レバー３２を回動させて、平ロープを撓ませて引き出す簡単な操作で、ランヤード２０の長さを調節することができる。
【００３５】
以上のように、実施形態の1本つりとＵ字つりに兼用可能な安全帯１は、そのランヤード２０に平ロープを用いたため、従来のようなランヤードが丸ロープの場合に比べて、しなやかで扱いやすく、装着時における作業性が良好である。
そして、伸縮調節器３０の構造が従来と比べて簡単であるため製造コストは低廉であり、小型であるため安全帯１は全体として軽量化が図られている。
【００３６】
なお、この実施形態では、安全帯本体１０を胴ベルト型としたが、これに限定されずたとえばハーネス型にしてもよい。
また、ランヤード２０の構造物側フック２１、安全帯側フック２２などの構造は実施形態に限定されることはない。
たとえば、安全帯側フック２２を省略して、ランヤード２０を安全帯本体１０に直接連結してもよい。
【００３７】
伸縮調節器３０の揺動レバー３２の構造は実施形態に限定されない。
調節器本体３１の中軸３１ｃに揺動可能に支持され、かつ脇軸３１ｂと対向し、調節器本体３１を挿通する平ロープの撓み量を規制できる構造になっているなら、板状体等の他の構造を採用してもよい。
ただし、一定以上の強度を有し、かつ軽量でもあり操作もしやすい構造としては、実施形態の側板３２ａと脇軸３２ｂからなる揺動レバー３２が好適である。
また、伸縮調節器３０の揺動レバー３２を省略して調節器本体３１のみとしてもよく、このようにすると、更なる調節器３０の構造の簡略化、低コスト化、軽量化が図られる。
平ロープの折り返し端部は、中軸３１ｃに固定するのが最も構造的に安定するが、脇軸３１ｂに巻きつけ固定するなど、調節器３０の中軸３１ｃ以外の部分に固定してもよい。
【図面の簡単な説明】
【００３８】
【図１】実施形態の高所作業用の安全帯の正面図
【図２】平ロープを通した伸縮調節器の（ａ）は斜視図、（ｂ）は縦断面図
【図３】安全帯のＵ字つり作業状態を示す概略図
【符号の説明】
【００３９】
１  実施形態の高所作業用の安全帯
１０  安全帯本体
１１  胴ベルト
１１ａ  ベルトバックル
１１ｂ  角環
１１ｃ  Ｄ環
１２  補助ベルト
１２ａ  ベルト押さえ
２０  ランヤード
２１  構造物側フック
２１ａ  フック本体
２１ｂ  開閉レバー
２１ｃ  安全レバー
２１ｄ  取り付け孔
２２  安全帯側フック
２２ａ  取り付け孔
３０  伸縮調節器
３１  調節器本体
３１ａ  側板
３１ｂ  脇軸
３１ｃ  中軸
３２  揺動レバー
３２ａ  側板
３２ｂ  脇軸
【図１】
2009112369.tif 000003
【図２】
2009112369.tif 000004
【図３】
2009112369.tif 000005